(57)【要約】【課題】  本発明は、円滑な押しボタン操作を行え、キートップ部における光のムラがなく均一に発光して美的効果を確保するうえに、薄型化を実現できるエレベータ用押しボタンスイッチを提供する。【解決手段】  壁面ａに少なくとも露出するよう取付けられるキートップ部４と、このキートップ部に密着され入射した光をキートップ部ヘ反射する導光板５と、キートップ部と導光板が壁面に対して常に並行に移動するよう支持する緩衝機構３と、導光板の側面部５ｂに対向して配置され導光板側面部へ光を照射する発光部７と、導光板が接離することにより発光部を点灯へと切換えるスイッチ本体８と、このスイッチ本体や発光部および案内部材とを配置する回路基板２とを具備し、導光板は、スイッチ本体との接触面が発光部からの光をキートップ部側へ反射する反射面５ａとなす。    【選択図】    図４
2006240886.tif 000002
【特許請求の範囲】
【請求項１】
壁面の開口部に設置されるエレベータ用の押しボタンスイッチであって、
操作者による押圧操作によって前記壁面に対して沈降する方向に変位するように設けら
れた押しボタン部と、
沈降方向に変位した前記押しボタン部が当接したことを受けてスイッチ動作するように
設けられエレベータの動作を制御する回路と接続可能に設けられるスイッチ端子部と、
前記スイッチ端子部におけるスイッチ動作を受けて発光する発光部と、を有し、
前記発光部は前記押しボタン部の変位を妨げない位置に、主として前記変位の方向に交
わる方向に光を出射するように配置され、
前記押しボタン部は、前記光を受光して内部に採光する側面部と、前記操作者による押
圧操作を受ける押圧面と、前記側面部から入射した光を前記押圧面に向けて反射させる反
射面を有している ことを特徴とする押しボタンスイッチ。
【請求項２】
上記スイッチ本体は、キートップ部が押されて、導光板が接触することによって、発光部
を点灯へと切換えることを特徴とするエレベータ用押しボタンスイッチ。
【請求項３】
壁面の開口部に設置されるエレベータ用の押しボタンスイッチであって、
操作者による押圧操作によって前記壁面に対して沈降する方向に変位するように設けら
れた押しボタン部と、
沈降方向に変位した前記押しボタン部が当接したことを受けてスイッチ動作するように
設けられエレベータの動作を制御する回路と接続可能に設けられるスイッチ端子部と、を
有し、
前記スイッチ端子部は、前記押しボタン部の当接によって受ける圧力に応じて、前記壁
面から離間する方向に移動可能に設けられることを特徴とする押しボタンスイッチ。
【請求項４】
壁面の開口部に設置されるエレベータ用の押しボタンスイッチであって、
ばね性部材によって支持されており、操作者による押圧操作によって前記壁面に対して
沈降する方向に変位するように設けられた押しボタン部と、
沈降した前記押しボタン部が当接したことを受けてスイッチ動作するように設けられエ
レベータの動作を制御する回路を備えたスイッチ端子部と、を有し、
前記押しボタン部の沈降量に応じて、前記ばね性部材のばね定数が増加するように設け
られることを特徴とする押しボタンスイッチ。
【請求項５】
壁面の開口部に設置されるエレベータ用の押しボタンスイッチであって、
ばね性部材によって支持されており、操作者による押圧操作によって前記壁面に対して
沈降する方向に変位するように設けられた押しボタン部と、
前記壁面に相対的に固定され、前記押しボタン部の移動方向が所定方向となるよう規制
するガイド体と、
スイッチ本体と、このスイッチ本体を支持するとともに前記スイッチ本体からの電気信
号を伝達する配線を有する回路基板とを有し、前記ガイド体により移動の方向を所定方向
となるよう規制されるスイッチ端子部と、
前記押しボタン部と前記スイッチ端子部との間に介挿される第１のばね体と、
前記ガイド体の終端部と前記スイッチ端子部との間に介挿され、少なくとも前記第１の
ばね体よりも大きいばね定数に設定されている第２のばね体と、
を具備することを特徴とする押しボタンスイッチ。
【請求項６】
壁面の開口部に設置されるエレベータ用の押しボタンスイッチであって、
操作者によって圧力を加えられ、前記圧力に応じて所定方向に移動する押しボタン部と
、
前記壁面に相対的に固定され、前記押しボタン部の移動の方向が所定方向となるよう規
制するガイド体と、
スイッチ本体と、このスイッチ本体を支持するとともに前記スイッチ本体からの電気信
号を伝達する配線を有する回路基板とを有するスイッチ端子部と、
前記押しボタン部と前記スイッチ端子部との間に介挿され、押しボタン部の沈降量に応
じてばね定数が増加するばね性部材と、
を具備することを特徴とする押しボタンスイッチ。
【請求項７】
壁面の開口部に設置されるエレベータ用の押しボタンスイッチであって、
利用者によって圧力を加えられ、前記圧力に応じて所定方向に移動する押しボタン部と
、
前記壁面に相対的に固定され、前記押しボタン部の移動方向が所定方向となるよう規制
するガイド体と、
スイッチ本体と、このスイッチ本体を支持するとともに前記スイッチ本体からの電気信
号を伝達する配線を備えた回路基板とを有するスイッチ端子部と、
前記押しボタン部の沈降に応じて順次当接し、前記押しボタン部に反力を付与するよう
配置される互いに長さの異なる複数のばね性部材と、
を具備することを特徴とする押しボタンスイッチ。
【発明の詳細な説明】
【技術分野】
【０００１】
本発明は、エレベータ用押しボタンスイッチの構造に関する。
【背景技術】
【０００２】
特許文献１にあるように、エレベータの乗り場壁面に取付けられる、エレベータ用の押
しボタンスイッチが知られている。
【０００３】
図１は、エレベータ装置の概略の斜視図である。
乗員を収容するかごＫの壁面には、複数の押しボタンスイッチＳを備えた操作盤Ｗが取
付けられる。この押しボタンスイッチＳを人が押圧操作することで、押しボタンが壁面の
厚さ方向に沈降し、スイッチが閉じて行き先階の表示や昇降方向が選択され、もしくは扉
体Ｔの開閉がなされる。
【０００４】
前記エレベータ用押しボタンスイッチＳは、図示しないが、建造物内部のエレベータ乗
り場の壁面に取付けられていて、人が押圧操作することにより前記と同様の機能を有する
。
【特許文献１】特開２００１−９３３７６（請求項１、図１参照）
【発明の開示】
【発明が解決しようとする課題】
【０００５】
図２は、従来のエレベータ用押しボタンスイッチＳの概略の構成図である。本図におけ
る壁面ａは、水平面方向となっているが、実際において通常は垂直面方向となっており、
ここに押しボタンスイッチＳが取付けられる。
【０００６】
壁面ａに設けられる開口部ｂに、押しボタンスイッチＳを構成するキートップ部ｃが嵌
め込まれ、このトップ面ｄが壁面ａから露出する。上記キートップ部ｃの裏面側には導光
板ｅが密着して取付けられ、これらキートップ部ｃと導光板ｅは支持箱体ｆ内に弾性部材
ｇを介して弾性的に支持される。
【０００７】
上記支持箱体ｆの底面のほぼ中央部にスイッチ本体ｈが配置され、この両側部には光源
としての発光部ｉが配置される。発光部ｉは、たとえば同色のＬＥＤが複数個組み合わさ
れて構成されている。上記スイッチ本体ｈは、導光板ｅの裏面に一体に突設される作動杆
ｊの端面と対向した位置にあり、キートップ部ｃが押圧されると導光板ｅも変位し、作動
杆ｊはスイッチ本体ｈに接触する。上記複数の発光部ｉは、作動杆ｊがスイッチ本体ｈに
接触して押圧することで点灯する。
【０００８】
ところで、エレベータ用押しボタンスイッチＳが取付けられるエレベータかごＫの壁面
や、エレベータ乗り場の壁面は、家屋の壁面構造がそもそも薄かったり、搬送許容人数を
多くするためにかごＫの壁面を薄肉化するなどする結果、可能な限り薄い板材を用いて構
成されることが望まれているので、上記押しボタンスイッチにおいてもこれらの薄肉の壁
面に納まるように薄型化が求められている。
【０００９】
しかしながら従来の構成では、発光部ｉから発せられる光の広がり角の問題から、発光
部ｉと導光板ｅとの間にある程度の距離を確保しないと、光の広がりが得られず、キート
ップ部ｃから出た光にムラが生じているように視認される。そのため、支持箱体ｆの高さ
寸法を高く形成しなければならなくなる。このようにして、キートップ部ｃを光のムラな
く均一に照明して美的効果を確保する反面、スイッチ全体の厚さ（高さ）が厚くて、薄型
化を実現できないという不具合がある。
【００１０】
一方、導光板ｅはキートップ部ｃとともにその四隅を弾性部材ｇに支持されているので
、キートップ部のほぼ中心部を押圧操作すれば、キートップ部は壁面と並行に移動して円
滑なスイッチ操作が行える。
【００１１】
しかしながら、たとえばキートップ部ｃの隅部を押圧すると、押圧側の弾性部材ｇの弾
性変形量が大になる反面、反対側部位の弾性部材ｇの弾性変形量がわずかでしかない。そ
のため、キートップ部ｃと導光板ｅが傾いた状態で強制的に押圧されることとなり、これ
らの側面部が支持箱体ｆの内壁面にこじれた状態で摺接する。当然、円滑なスイッチ操作
ができなくなる。
【００１２】
一方、図３に押しボタンスイッチＳの動作を示す模式図を示す。前記キートップ部ｃが
押圧されると同時にスライドプレートｅが変位し、作動杆ｊがスイッチ本体ｈに接触する
。スイッチオンの状態となり、制御部から必要な信号が所定の部位へ送られる一方で、複
数の発光部ｉが点灯する。
【００１３】
通常の押圧操作力をもってキートップ部ｃを押圧操作すれば何らの問題もない。また、
人によってはある程度強い力で押圧する場合もあるが、それなりの安全率をもって設計さ
れているので、問題が少ない。
【００１４】
しかしながら、たとえば傘などの先端でキートップ部ｃを強く突く場合がある。キート
ップ部ｃは強大な衝撃力を受け、スライドプレートｅ、フレーム体ｆおよびスイッチ本体
ｈに強く当たって衝撃力を伝達する。
【００１５】
図３は、傘Ｚなどを用いてキートップ部ｃに衝撃力を付与した状態を示していて、ばね
体ｇが容易に弾性変形してスライドプレートｅがフレーム体ｆに激突する。また、キート
ップｃも変形して反りが生じて、作動杆ｊがスイッチ本体ｈに衝撃力を伝達する。
【００１６】
したがって、強くて急激な押圧力を受けた場合には、キートップ部ｃやスイッチ本体ｈ
が損傷する可能性がある。損傷した場合は、事後のスイッチ動作が不確実になり、信頼性
が損なわれてしまう場合がある。従来のエレベータ用押しボタンスイッチでは、このよう
な衝撃力を受けた場合での損傷を避けることが困難な構造になっている。
【００１７】
本発明は前記事情に着目してなされたものであり、円滑な押しボタン操作を行え、キー
トップ部における光のムラがなく均一に発光して美的効果を確保するうえに、薄型化を実
現できるエレベータ用押しボタンスイッチを提供しようとするものである。
【００１８】
また、本発明は、通常の押圧操作力をもって押しボタン操作を行う場合は勿論のこと、
たとえ衝撃力がかかっても、機能が損なわれることなく、常に動作可能となるよう、信頼
性を確保可能な構造のエレベータ用押しボタンスイッチを提供しようとするものである。
【課題を解決するための手段】
【００１９】
本発明は上記目的を満足するためになされたものであり、壁面の開口部に設置されるエ
レベータ用の押しボタンスイッチであって、操作者による押圧操作によって前記壁面に対
して沈降する方向に変位するように設けられた押しボタン部と、沈降方向に変位した前記
押しボタン部が当接したことを受けてスイッチ動作するように設けられエレベータの動作
を制御する回路と接続可能に設けられるスイッチ端子部と、前記スイッチ端子部における
スイッチ動作を受けて発光する発光部と、を有し、前記発光部は前記押しボタン部の変位
を妨げない位置に、主として前記変位の方向に交わる方向に光を出射するように配置され
、前記押しボタン部は、前記光を受光して内部に採光する側面部と、前記操作者による押
圧操作を受ける押圧面と、前記側面部から入射した光を前記押圧面に向けて反射させる反
射面を有している押しボタンスイッチを提供する。
このとき、上記スイッチ本体は、キートップ部が押されて、導光板が接触することによ
って、発光部を点灯へと切換えることが望ましい。
【００２０】
また本発明は、壁面の開口部に設置されるエレベータ用の押しボタンスイッチであって
、操作者による押圧操作によって前記壁面に対して沈降する方向に変位するように設けら
れた押しボタン部と、沈降方向に変位した前記押しボタン部が当接したことを受けてスイ
ッチ動作するように設けられエレベータの動作を制御する回路と接続可能に設けられるス
イッチ端子部と、を有し、前記スイッチ端子部は、前記押しボタン部の当接によって受け
る圧力に応じて、前記壁面から離間する方向に移動可能に設けられる押しボタンスイッチ
を提供する。
また本発明は、壁面の開口部に設置されるエレベータ用の押しボタンスイッチであって
、ばね性部材によって支持されており、操作者による押圧操作によって前記壁面に対して
沈降する方向に変位するように設けられた押しボタン部と、沈降した前記押しボタン部が
当接したことを受けてスイッチ動作するように設けられエレベータの動作を制御する回路
を備えたスイッチ端子部と、を有し、前記押しボタン部の沈降量に応じて、前記ばね性部
材のばね定数が増加するように設けられる押しボタンスイッチを提供する。
【００２１】
また本発明は、壁面の開口部に設置されるエレベータ用の押しボタンスイッチであって
、ばね性部材によって支持されており、操作者による押圧操作によって前記壁面に対して
沈降する方向に変位するように設けられた押しボタン部と、前記壁面に相対的に固定され
、前記押しボタン部の移動方向が所定方向となるよう規制するガイド体と、スイッチ本体
と、このスイッチ本体を支持するとともに前記スイッチ本体からの電気信号を伝達する配
線を有する回路基板とを有し、前記ガイド体により移動の方向を所定方向となるよう規制
されるスイッチ端子部と、前記押しボタン部と前記スイッチ端子部との間に介挿される第
１のばね体と、前記ガイド体の終端部と前記スイッチ端子部との間に介挿され、少なくと
も前記第１のばね体よりも大きいばね定数に設定されている第２のばね体と、を具備する
押しボタンスイッチを提供する。
また本発明は、壁面の開口部に設置されるエレベータ用の押しボタンスイッチであって
、操作者によって圧力を加えられ、前記圧力に応じて所定方向に移動する押しボタン部と
、前記壁面に相対的に固定され、前記押しボタン部の移動の方向が所定方向となるよう規
制するガイド体と、スイッチ本体と、このスイッチ本体を支持するとともに前記スイッチ
本体からの電気信号を伝達する配線を有する回路基板とを有するスイッチ端子部と、前記
押しボタン部と前記スイッチ端子部との間に介挿され、押しボタン部の沈降量に応じてば
ね定数が増加するばね性部材と、を具備する押しボタンスイッチを提供する。
また本発明は、壁面の開口部に設置されるエレベータ用の押しボタンスイッチであって
、利用者によって圧力を加えられ、前記圧力に応じて所定方向に移動する押しボタン部と
、前記壁面に相対的に固定され、前記押しボタン部の移動方向が所定方向となるよう規制
するガイド体と、スイッチ本体と、このスイッチ本体を支持するとともに前記スイッチ本
体からの電気信号を伝達する配線を備えた回路基板とを有するスイッチ端子部と、前記押
しボタン部の沈降に応じて順次当接し、前記押しボタン部に反力を付与するよう配置され
る互いに長さの異なる複数のばね性部材とを具備する押しボタンスイッチを提供する。
【発明の効果】
【００２２】
以上説明したように本発明は、円滑なスイッチ操作が行える薄型化された押しボタンス
イッチの提供を可能とする。
【発明を実施するための最良の形態】
【００２３】
以下、本発明の実施の形態を図面にもとづいて説明する。  
図４および図５は、同じエレベータ用押しボタンスイッチの概略の縦断面図であって、
薄型化された押しボタンスイッチのコンセプトを示すものである。図４は通常状態を示し
、図５はスイッチオンの状態を示している。
【００２４】
実際に、この押しボタンスイッチは、先に図１で説明したようにエレベータのかご壁面
などに取付けられ、かつ図２で示す従来と同様、壁面ａが９０°回動変位した垂直状態と
なる。
上記壁面ａに開口部ｂが設けられていて、ここに押しボタンスイッチを構成するキート
ップ部４が嵌め込まれる。キートップ部４のトップ面４ａは壁面ａから突出し、もしくは
露出している。
【００２５】
上記キートップ部４の裏面側には、導光板５が密着して取付けられる。この導光板５は
、キートップ部４との密着面と対向する面２ａが傾斜形成される。したがって、導光板５
は一側部が厚く、他側部に亘って漸次薄くなる。
【００２６】
また、導光板５の少なくとも左右両側部はキートップ部４の左右両側端面よりも突出す
る大きさに形成され、この突出部に孔部Ｈが設けられる。それぞれの孔部Ｈには、緩衝機
構３を構成するガイド体６が挿通している。
【００２７】
上記ガイド体６は、図の上端部が壁面ａに取付けられ、下端部に後述する回路基板２を
支持している。そして、ガイド体６における導光板５と回路基板１との間には、たとえば
コイルスプリングなどのばね体１２が介在され、これらばね体１２と上記ガイド体６とで
上記緩衝機構３が構成される。
【００２８】
このことから、互いに重ねられた状態のキートップ部４と導光板５は、ばね体１２を介
して回路基板２に弾性的に支持される。そして、上記ガイド体６に沿って変位自在であり
、キートップ部４と導光板５は上記壁面ａに対して常に並行に移動するようになっている
。
【００２９】
上記キートップ部４の上記導光板５に密着する面部周囲が鍔部４ｃとなっていて、この
鍔部４ｃと上記壁面ａとの間に、たとえばゴム材などの柔軟部材からなるパッキン材ＯＲ
が介在される。
【００３０】
上記キートップ部４と導光板５がばね体１２によって弾性的に支持され、かつキートッ
プ部４の鍔部４ｃが壁面ａに当接するよう弾性的に押圧されるところから、上記パッキン
材ＯＲは押圧され扁平状に弾性変形している。
【００３１】
上記回路基板２上には、光源としての発光部７と、スイッチ本体８とが配置されている
。この回路基板２の表面には、発光部７とスイッチ本体８とを電気的に接続する電気回路
がプリント配線されている。
【００３２】
上記発光部７は、回路基板２の一側部で、上記導光板５の側面部２ｂよりも外方に支持
具９を介して取付けられている。この発光部７の発光方向は、導光板５の側面部２ｂに対
向するよう向けられている。すなわち、発光部７は前記押しボタン部の一部を構成する導
光板５の変位を妨げない位置に設けられ、その向きは主として前記導光板５が変位する方
向に交わる方向に光を出射するように配置されている。
【００３３】
上記スイッチ本体８は、回路基板２のほぼ中心位置に取付けられていて、その作動子８
ａは導光板５のほぼ中心部に対向して突出している。導光板５におけるスイッチ本体作動
子８ａの対向面は上述した傾斜面２ａである。
【００３４】
後述するように、上記導光板５の傾斜面２ａは、発光部７から側面部２ｂへ照射される
光をキートップ部４側へ反射する反射面となっている。導光板５の反射面は、光源の照射
むらをぼかして郷土を平均化するために粗面化処理がなされている。あるいは効率よく反
射させるために溝もしくは段差によるフレネルレンズが形成されている場合がある。反射
効率を高めるために金属による薄膜が形成されていたり、ボタン本体の大きさに影響しな
い程度の厚みを有する板材が貼り付けられている場合がある。
【００３５】
傾斜面２ａは側面部２ｂから入射した光をキートップ部の押圧面であるトップ面４ａに
向けて反射させる作用を有するため、その角度は、発光部７による光の主たる照射方向(
あるいは光軸方向)とトップ面４ａの光出射領域の位置とによる変化する。すなわち、条
件によっては、傾斜面２ａは作動子８ａの押圧方向に対して垂直な平面であったり、湾曲
した面であったりする場合がある。
【００３６】
上記スイッチ本体８の作動子８ａは、図４に示すようにキートップ部４が押圧されてい
なときに導光板５の傾斜面２ａと離間して、スイッチ本体８がオフ状態となる。
図５に示すように、キートップ部４が押圧されると導光板５がスイッチ本体８に接触し
てオン状態になり、発光部７への通電がなされる。通電された発光部７は導光板側面部２
ｂに向けて発光するようになっている。
傾斜面２ａは作動子８ａと直接接触するから、少なくともその直接接触する部分につい
ては、耐磨耗性を高めるために別部材を貼付したり埋め込んだりして補強を受けている場
合や、キートップ部が変位する方向に垂直な面となるように形成されている場合がある。
また、さらに薄型化するためにスイッチ本体８の大きさにあわせて凹部が形成される場合
がある。
【００３７】
このようにしてエレベータ用押しボタンスイッチが構成されていて、図４に示す押圧解
除の状態では、重ね合わされたキートップ部４と導光板５がばね体１２によって弾性的に
押上げられて、スイッチ本体８とは離間している。この間にも、発光部７は点灯している
。
【００３８】
キートップ部４周部の鍔部４ｃと壁面ａとの間に介在されるパッキン材ＯＲは、扁平状
に圧縮変形して開口部ｂとキートップ部４の周囲からの塵埃もしくは水滴の侵入を阻止し
ている。
【００３９】
図５に示すように、人が必要に応じてキートップ部４を押圧操作すると、キートップ部
とともに導光板５がばね体１２の弾性力に抗して押し下げられる。このとき、キートップ
部４と導光板５は緩衝機構３を構成するガイド体６に沿って移動する。
【００４０】
換言すれば、キートップ部４は導光板５とともにスイッチ本体８が押し下げられるよう
に、ガイド体６に案内されて移動するので、人がキートップ部４の中心部分を押圧すれば
勿論のこと、キートップ部４の隅部分を押圧しても、キートップ部は上記壁面ａと、常に
、並行な状態で移動する。
【００４１】
したがって、キートップ部４に対する押圧操作位置が相違しても、キートップ部と導光
板５の姿勢が、常に、一定化して移動する。このとき、所定の変位量があれば、導光板５
は確実にスイッチ本体８の作動子８ａに接触する。
【００４２】
スイッチ本体８はオン状態に切換り、発光部７が点灯して発光する。導光板５において
は、この板厚間に光が導かれ、傾斜形成される反射面２ａでほぼ直角方向に屈曲するよう
反射される。これら反射光は導光板５のキートップ部密着面を介してキートップ部４を透
過し、このトップ面４ａから発光する。
【００４３】
上記発光部７を導光板５の側面部２ｂ外方に位置し、導光板５の傾斜面２ａを反射面と
したので、発光部７からキートップ部４のトップ面４ａに至る距離を充分に確保できる。
したがって、キートップ部４のトップ面４ａから発光される光にムラがなく、均一な発光
をなして美的効果を得られる。
【００４４】
さらに、上記発光部７を導光板５の側面部２ｂ外方に位置させたので、スイッチ本体８
と導光板５との距離を極く短縮化して、導光板５でスイッチ本体８を直接的に接離できる
ようになり、構成の簡素化を得られる。
【００４５】
同時に、壁面ａと回路基板２との間の距離が従来のものと比較すると極く短縮化し、押
しボタンスイッチとして薄型化が図れる。そのため、エレベータかごを構成する板材やエ
レベータ乗り場を構成する板材の壁面に取付けるのに極めて好都合の構成となる。
【００４６】
なお、スイッチオンの状態で、上記パッキン材ＯＲは厚肉状に弾性変形するが、壁面ａ
とキートップ部４の鍔部４ｃとの間に介設されていることには変わりがないから、継続し
て押しボタンスイッチ内への塵埃と水分の侵入を阻止する。
【００４７】
人がキートップ部４への押圧操作を解除すれば、ばね体１２の弾性復帰力が作用して導
光板５とキートップ部４が押上げられ、導光板５はスイッチ本体８から離間する。すなわ
ち、再び図４に示す状態に戻り、この導光板５とキートップ部４の移動中も再びガイド体
６に案内されるところから、導光板５とキートップ部４の移動が極めて円滑である。
【００４８】
以上、上記したように本発明の押しボタンスイッチは、エレベータのかご内壁面や、エ
レベータ乗り場の壁面に取付けられ、人が押圧することで行き先階や方向の選択もしくは
扉の開閉に用いられるエレベータ用押しボタンスイッチにおいて、上記エレベータのかご
内壁面等に、少なくともトップ面が露出するように取付けられるキートップ部と、このキ
ートップ部の基端面に密着して取付けられ、入射した光をキートップ部ヘ反射する導光板
と、上記キートップ部と上記導光板を、上記壁面に対して常に並行な姿勢で、移動自在に
支持する案内部材と、上記導光板の側面部外方に配置され、この側面部へ光を照射する光
源としての発光部と、上記導光板と対向して配置され、キートップ部が押圧されて導光板
が接触することにより上記発光部を点灯させるスイッチ本体と、このスイッチ本体や上記
発光部および上記案内部を配置する回路基板とを具備し、上記スイッチ本体は、キートッ
プ部が押されて、導光板が接触することによって、発光部を点灯へと切換える。
このような構成により、円滑な押しボタン操作を行え、キートップ部における発光を実
現して美的効果を確保するうえに、薄型化を実現できる。
【００４９】
つぎに、上記した薄型化のための基本構成を踏まえて、本発明の実施の形態を図面にも
とづいて説明する。
図６（Ａ）（Ｂ）は、第１の実施の形態の緩衝機構を備えた同じエレベータ用押しボタ
ンスイッチの概略の縦断面図であって、図６（Ａ）は通常の操作状態を示し、図６（Ｂ）
は故意に衝撃力がかかった状態を示している。
【００５０】
この押しボタンスイッチは、先に図６で説明したようにエレベータのかご壁面ａなどに
取付けられる。すなわち、壁面ａの開口部ｂと対向する開口部１ａを備えた枠状のフレー
ム体１が壁面の内側に取付けられる。フレーム体１の開口部１ａと対向する底面部はスイ
ッチ端子部Ｔとして別体で構成され、フレーム体１に設けられる後述する緩衝機構３を介
して支持される。
【００５１】
前記フレーム体１の開口部１ａおよび壁面ａの開口部ｂを介して、押しボタン部Ｐを構
成するキートップ部４のトップ面４ａが壁面ａに対して突出し、かつ沈降自在に支持され
る。
【００５２】
このキートップ部４は、半透明の合成樹脂材が用いられ、前記開口部ｂに嵌め込まれる
段部４ｂと、開口部ｂ裏面側周辺に対向するフランジ部４ｃとの二段状をなす。
【００５３】
前記キートップ部４の裏面側には、透明の合成樹脂材からなる導光板５が密着して取付
けられる。この導光板５は、キートップ部４との密着面と対向する面５ａが傾斜形成され
る。
【００５４】
したがって、導光板５は一側部が厚く、他側部に亘って漸次薄くなる。この導光板５の
傾斜面５ａは、側面部５ｂから照射される光をキートップ部４側へ反射する反射面となっ
ている。そのため、導光板５の反射面は、粗面化処理がなされ、あるいはフレネル（格子
状）レンズからなる。
【００５５】
この導光板５と前記キートップ部４とは一体になって前記押しボタン部Ｐを構成してお
り、操作者の押圧操作および押圧力に応じて壁面ａに対する姿勢を保ったまま変位するよ
うになっている。
【００５６】
導光板５の少なくとも左右両側部（全周辺であってもよい）はキートップ部４の左右
両側端面よりも外側に突出する大きさに形成され、これら突出部５ｃの所定部位に孔部が
設けられる。それぞれの孔部には、前記緩衝機構３の一部を構成する円柱状のガイド体６
が挿通している。
【００５７】
前記回路基板２上には、光源としての発光部７と、スイッチ本体８とが配置されていて
、これらで前記スイッチ端子部Ｔが構成される。
前記回路基板２の表面には、発光部７とスイッチ本体８とを電気的に接続する電気回路
がプリント配線されている。前記発光部７は、回路基板２の一側部で導光板５の側面部５
ｂよりも外方に支持具９を介して取付けられている。この発光部７の発光方向は、導光板
５の側面部５ｂに対向するよう向けられている。
【００５８】
前記スイッチ本体８は、回路基板２のほぼ中心位置に配置されていて、その作動子８ａ
は導光板５のほぼ中心部に対向して突出している。なお、上述したように導光板５のスイ
ッチ本体作動子８ａとの対向面は傾斜面５ａである。
【００５９】
前記スイッチ本体８の作動子８ａは、押しボタン部Ｐが押圧されていないときに導光板
５の傾斜面５ａと離間して、スイッチ本体８がオフ状態となる。また、二点鎖線で示すよ
うに、押しボタン部Ｐが押圧されると導光板５がスイッチ本体８に接触してオン状態にな
る。
【００６０】
一方、前記ガイド体６は、一端部がフレーム体１に取付けられ、中途部に前記回路基板
２が挿通し、他端部に受けワッシャ１０とこれを支持する取付けねじ（ねじ体）１１が取
付けられてなる。
【００６１】
そして、導光板５の突出部５ｃと回路基板２との間のガイド体６には、ばね性部材であ
る第１のばね体１２が介在され、かつ回路基板２と受けワッシャ１０との間にもばね性部
材である第２のばね体１３が介在される。
【００６２】
第１、第２のばね体１２，１３ともコイルスプリングからなり、第２のばね体１３のば
ね定数は、第１のばね体１２のばね定数よりも大であるものが選択されている。
【００６３】
したがって、互いに重ねられ一体化されて押しボタン部Ｐを構成しているキートップ部
４と導光板５は、第１のばね体１２を介して回路基板２に弾性的に支持される。
【００６４】
そして、キートップ部４と導光板５および回路基板２は、第２のばね体１３を介して受
けワッシャ１０と取付けねじ１１との間に弾性的に支持されることになる。
【００６５】
このようにしてエレベータ用の押しボタンスイッチが構成されていて、人が必要に応
じて押しボタン部Ｐを押圧操作すると、キートップ部４とともに導光板５が第１のばね体
１２の反力に抗して押圧されガイド体６に沿って移動する。
【００６６】
換言すれば、キートップ部４および導光板５は、ガイド体６に案内されて並行移動す
るので、キートップ部４の中心部分を押圧すれば勿論のこと、トップ面４ａの隅部分を押
圧したとしても、トップ面４ａは壁面ａと常に並行な状態で移動する。
【００６７】
このように、キートップ部４に対する押圧操作位置が相違しても、キートップ部４と導
光板５の姿勢が常に一定化して移動する。このとき、所定の変位量があれば、導光板５は
確実にスイッチ本体８の作動子８ａに接触する。
【００６８】
スイッチ本体８はオン状態に切換り、発光部７が点灯して発光する。導光板５において
は、この板厚に沿って光が導かれ、傾斜形成される反射面５ａにおいてほぼ直角方向に屈
曲反射する。これら反射光は導光板５のキートップ部密着面を介してキートップ部４を透
過し、このトップ面４ａから発光する。
【００６９】
なお、通常の操作力をもって押しボタン部Ｐを押圧操作する場合は勿論のこと、多少押
しボタン部Ｐを強く押すようなことがあっても、第１のばね体１２は安全率を見込んだば
ね定数で設計されているので、これらの操作力を吸収し緩衝する。
【００７０】
押しボタン部Ｐへの押圧操作を解除すれば、第１のばね体１２の弾性復帰力が作用して
導光板５ととともにキートップ部４が押上げられ、導光板はスイッチ本体８から離間する
。
【００７１】
すなわち、再び元の状態に戻る。導光板５とキートップ部４の移動中も再びガイド体６
に案内されるところから、押しボタン部Ｐの元の位置への移動は極めて円滑である。
【００７２】
故意に、たとえば傘などの先で押しボタン部Ｐを突付く場合がある。図６（Ｂ）に示す
ように、押しボタン部Ｐは通常の押圧操作力よりも強大な押圧力、すなわち衝撃力を受け
ることになる。
【００７３】
このとき、押しボタン部Ｐと回路基板２との間に介在される第１のばね体１２はさらに
押し潰されて、キートップ部４と導光板５と第１のばね体１２および回路基板２が一体と
なって移動し、これらの一体化物は第２のばね体１３を衝撃的に押圧付勢する。
【００７４】
第２のばね体１３は強大な衝撃力を受けることで、一旦はばね長が短縮化するが、この
ような衝撃力に対する反力が作用するようなばね定数のものが選択されているので、この
一体化物の衝撃を吸収し緩衝する。導光板５とスイッチ本体８との間隔がそれ以上短縮す
ることが少なく、したがってスイッチ本体に加わる衝撃が低減され、スイッチ本体８の損
傷を防止できる。このように、押しボタン部Ｐが衝撃力を受けてもスイッチ機能として何
ら信頼性が損なわれることがない。
【００７５】
図６に示すようにストッパＳＴをスイッチ端子部Ｔとキートップ部Ｐとの間隔を規制す
るように設けると、スイッチ本体８に対するダメージをより一層コントロールしやすくな
る。ストッパＳＴの長さは、導光板５が作動子８ａに到達したあとに規制する長さであっ
てもよいし、キートップ部自体がある程度の可撓性を有する場合には、導光板５が作動子
８ａに到達する前に規制する長さであってもよい。
【００７６】
いずれにしても、回路基板２がばね性を有する部材１２，１３で支持されていることに
より、スイッチ端子部Ｔに配置されているスイッチ本体８のスイッチ動作を行うに充分な
沈降量を得ている押しボタン部Ｐがさらに沈降しようとした際には、スイッチ端子部Ｔ自
体が沈降し始め、スイッチ本体８の損傷を確実に防止するように各部材を設定する。
【００７７】
また、ばね性を有する部材１２，１３のばね定数を調整することにより、通常の操作に
よって与えられる程度の静的に加えられた圧力による沈降動作では、押しボタン部Ｐとス
イッチ本体８との接触を得ることができ、かつ乱暴な操作行動により与えられる急激に加
えられた圧力による沈降動作においては、押しボタン部Ｐとスイッチ本体８との接触を得
ることができないように設定することが可能である。
【００７８】
つぎに、第２の実施の形態のエレベータ用の押しボタンスイッチを図７にもとづいて説
明し、第３の実施の形態のエレベータ用の押しボタンスイッチを図８にもとづいて説明す
る。それぞれ、上述の実施の形態と同一部品については同番号を付して新たな説明を省略
する。
【００７９】
図７（Ａ）に示すように、フレーム体１に対してスイッチ端子部Ｔを構成する回路基板
２がガイド体６Ａを介して所定の間隙を存するように取付け固定されていて、ガイド体６
Ａに緩衝機構３Ａとしてのばね性部材２０が介在される。
【００８０】
前記ばね性部材２０は、フレーム体１と回路基板２との間に介在されることになり、し
かも第１のばね体１２Ａと第２のばね体１３Ａが一体に連結化された不等長ばねとなって
いる。
【００８１】
第１、第２のばね体１２Ａ，１３Ａとも、コイルスプリングからなり、第１のばね体１
２Ａのばね定数よりも第２のばね体１３Ａのばね定数が大であるように構成される。
【００８２】
このような押しボタンスイッチであるから、通常の操作力もしくはある程度強い操作力
で押しボタン部Ｐ４が押圧操作されると、図７（Ａ）に二点鎖線で示すように、キートッ
プ部４および導光板５が第１のばね体１２Ａの反力に抗して移動し、スイッチ本体８の作
動子８ａに接触してスイッチオンの状態となる。
【００８３】
このときの操作力が第２のばね体１２Ａにおける反力以下の操作力であれば、第２のば
ね体１２Ａにおいては何らの影響も受けることなく、その形態に変化がない。押しボタン
部Ｐから操作力を除去すれば、第１のばね体１２Ａの反力が作用して、キートップ部４と
導光板５が元の位置に戻る。
【００８４】
図７（Ｂ）は、たとえば傘などで押しボタン部Ｐを突付き、衝撃力を与えた状態を示し
ている。このとき、第１のばね体１２Ａはさらに押し潰されて反力が全く作用しない。
【００８５】
したがって、キートップ部４と導光板５および第１のばね体１２Ａが、第２のばね体１
３Ａを衝撃的に押圧付勢する。この第２のばね体１３Ａは衝撃力に対する反力が作用する
ような反発係数もしくはばね定数のものが選択されているので、衝撃を吸収し緩衝する。
【００８６】
導光板５とスイッチ本体８との間隔がそれ以上短縮することがなく、したがってスイッ
チ本体に衝撃が加わることがなく、スイッチ本体の損傷を防止できる。このように、押し
ボタン部Ｐが衝撃力を受けてもスイッチ機能として何ら信頼性が損なわれることがない。
【００８７】
図７（Ｃ）は、前記第１のばね体１２Ａと第２のばね体１３Ａを一体化した不等長ばね
２０に係るばね特性を示している。ばね定数が小さい第１のばね体１２Ａでのストローク
が最大限になる付近から、ばね定数が大きい第２のばね体１３Ａのストロークに引き継が
れ、２段階のストロークとなる。
【００８８】
図８（Ａ）は、図７（Ａ）の構成と同様、フレーム体１に対してスイッチ端子部Ｔを構
成する回路基板２がガイド体６Ｂを介して所定の間隙を存するように取付け固定される。
そして、前記ガイド体６Ｂに緩衝機構３Ｂとしての第１、第２のばね体１２Ｂ，１３Ｂが
介在される。
【００８９】
これら第１のばね体１２Ｂと第２のばね体１３Ｂは、フレーム体１と回路基板２との間
に並行に介在される。それぞれのばね体１２Ｂ，１３Ｂはコイルスプリングからなり、第
１のばね体１２Ｂのばね定数よりも第２のばね体１３Ｂのばね定数が大であるように設計
されている。
【００９０】
なお説明すれば、前記ガイド体６Ｂは左右両側（もしくは全周辺に亘って）に複数本づ
つ設けられていて、たとえば１本置きのガイド体６Ｂに第１のばね体１２Ｂと第２のばね
体１３Ｂが交互に取付けられる。あるいは、交互でかつ左右対称に取付けるようにしても
よい。
【００９１】
第１のばね体１２Ｂのばね長は導光板突出部５ｃと回路基板２との間隔と略同一もしく
はこの間隔以上あって、ある程度短縮状態にして介挿される。これに対して第２のばね体
１３Ｂのばね長は、導光板５がスイッチ本体８に接触した位置で、この突出部５ｃと回路
基板２との間の距離と略同等とする。
【００９２】
このような押しボタンスイッチであるから、通常の操作力もしくはある程度強い操作力
で押しボタン部Ｐが押圧操作されると、図８（Ａ）に二点鎖線で示すように、キートップ
部４と導光板５が第１のばね体１２Ｂの反力に抗して移動し、スイッチ本体８の作動子８
ａに接触してスイッチオンの状態となる。
【００９３】
このときの操作力が、第２のばね体１３Ｂにおける反力以下であれば、第２のばね体１
３Ｂにおいて何らの影響も受けることなく、その形態の変化がない。押しボタン部Ｐから
操作力を除去すれば、第１のばね体１２Ｂの反力が作用して、キートップ部４と導光板５
が元の位置に戻る。
【００９４】
図８（Ｂ）は、たとえば傘などで押しボタン部Ｐを突付き、衝撃力を与えた状態を示し
ている。このとき、第１のばね体１２Ｂはさらに押し潰されて反力が全く作用しない。
【００９５】
したがって、キートップ部４と導光板５が第２のばね体１３Ｂを衝撃的に押圧付勢する
。この第２のばね体１３Ｂは衝撃力に対する反力が作用するようなばね定数のものが選択
されているので、衝撃を吸収し緩衝する。
【００９６】
導光板５とスイッチ本体８との間隔がそれ以上短縮することがなく、したがってスイッ
チ本体に衝撃が加わることがなく、スイッチ本体８の損傷を防止できる。このように、押
しボタン部Ｐが衝撃力を受けてもスイッチ機能として何ら信頼性が損なわれることがない
。
【００９７】
なお説明すれば、長さが異なる複数のばね体１２Ｂ，１３Ｂを並列に配置し、押しボタ
ン部Ｐが沈降していくにつれ接触して、押しボタン部Ｐに対して力を加えるばね体が増え
ていくように構成した。
【００９８】
そのため、操作者から見ると押しボタン部Ｐを押し込む量が大きいほどに見かけのばね
定数を増大させることができるようになる。これによって、沈降量が少ない動作初期はボ
タンを押し込んでいるという操作感覚を操作者に与えることができる。
【００９９】
そして、沈降量を多くし、スイッチ本体８に対して当接させたあとに急激にばね定数を
高く設定することができ、スイッチにかかる負担を同一のばね材で支え続ける従来の構成
に比して軽減することができるようになる。
【０１００】
また、押しボタン部Ｐにかかる負担も移動を規制する構造部材で行う場合に比して軽減
することができる。したがって、信頼性の高い押しボタンスイッチを提供することができ
るようになる。
【０１０１】
図９は、従来構造と本発明構造における、押しボタンスイッチに対する操作量と操作力
との比較と、操作量と衝撃力とを比較する図である。
すなわち、押しボタンスイッチに対する操作量と操作力については、スイッチオンの
状態までは従来構造と本発明構造ともに互いに略同一の関係にあり、同一の操作力では同
一のストロークとなる。
【０１０２】
スイッチオンの位置を越えてからも操作力を付勢した場合は、従来構造ではある程度の
範囲内でストロークが規制されるが、本発明構造では第１のばね体と第２のばね体の反力
の設定にもとづいた操作力と、それにともなう衝撃力の変化を得られ、本発明構造での緩
衝性が優れていることが分かる。
【０１０３】
以上、本発明の基本形態と実施形態について、種々の形態を示した。本発明は上述の各
々の実施形態に限定されるものではなく、本発明の要旨を変更しない程度に種々変形実施
可能である。たとえば、ばね性部材はスポンジやゴムなどの弾性変形する他の部材に置換
することができる。
【０１０４】
また、図においては、回路基板６と、ここに載置される構成部品の全てが壁面ａ内で露
出した状態となっているが、これに限定されるものではなく、従来のような支持箱体内に
収容してもよい。このときの支持箱体の厚さは、押しボタンスイッチとしての薄型化の障
害とならないことは勿論である。
【０１０５】
また、キートップ部は全体が発光する必要は無く、特定部分のみ光っているように視認
されている状態でもよい。したがって、キートップや導光板は全体がすべて透光性を有す
る部材で形成されている必要は無い。
【図面の簡単な説明】
【０１０６】
【図１】一般的なエレベータのかごの概略の構成図。
【図２】従来の、エレベータ用押しボタンスイッチの縦断面図。
【図３】従来の、エレベータ用押しボタンスイッチの縦断面図。
【図４】本発明の実施の基本形態を示す、エレベータ用押しボタンスイッチの縦断面図。
【図５】同実施の基本形態を示す、図１とは異なる状態のエレベータ用押しボタンスイッチの縦断面図。
【図６】本発明の第１の実施の形態に係るエレベータ用の押しボタンスイッチの縦断面図であり、通常の操作力で押した状態と、衝撃力を付与した状態を示す。
【図７】本発明の第２の実施の形態に係るエレベータ用の押しボタンスイッチの縦断面図であり、通常の操作力で押した状態と、衝撃力を付与した状態を示す。
【図８】本発明の第３の実施の形態に係るエレベータ用の押しボタンスイッチの縦断面図であり、通常の操作力で押した状態と、衝撃力を付与した状態を示す。
【図９】従来構造と、本発明構造のばね特性を比較する図。
【符号の説明】
【０１０７】
Ｋ…エレベータのかご、ａ…壁面、１…キートップ部、２…導光板、
４…案内部材、１０…発光部、１１…スイッチ本体、６…回路基板、
５ａ…（導光板の）反射面。
【図１】
2006240886.tif 000003
【図２】
2006240886.tif 000004
【図３】
2006240886.tif 000005
【図４】
2006240886.tif 000006
【図５】
2006240886.tif 000007
【図６】
2006240886.tif 000008
【図７】
2006240886.tif 000009
【図８】
2006240886.tif 000010
【図９】
2006240886.tif 000011
【手続補正書】
【提出日】平成18年5月29日(2006.5.29)
【手続補正１】
【補正対象書類名】特許請求の範囲
【補正対象項目名】全文
【補正方法】変更
【補正の内容】
【特許請求の範囲】
【請求項１】
壁面の開口部に設置されるエレベータ用の押しボタンスイッチであって、
操作者による押圧操作によって前記壁面に対して沈降する方向に変位するように設けられた押しボタン部と、
沈降方向に変位した前記押しボタン部が当接したことを受けてスイッチ動作するように設けられエレベータの動作を制御する回路と接続可能に設けられるスイッチ端子部と、
前記スイッチ端子部におけるスイッチ動作を受けて発光する発光部と、を有し、
前記発光部は前記押しボタン部の変位を妨げない位置に、主として前記変位の方向に交わる方向に光を出射するように配置され、
前記押しボタン部は、前記光を受光して内部に採光する側面部と、前記操作者による押圧操作を受ける押圧面と、前記側面部から入射した光を前記押圧面に向けて反射させる反射面を有しており、前記スイッチ端子部は、前記押しボタン部の当接によって受ける圧力に応じて、前記壁面から離間する方向に移動可能に設けられること
を特徴とする押しボタンスイッチ。
【請求項２】
壁面の開口部に設置されるエレベータ用の押しボタンスイッチであって、
操作者による押圧操作によって前記壁面に対して沈降する方向に変位するように設けられた押しボタン部と、
沈降方向に変位した前記押しボタン部が当接したことを受けてスイッチ動作するように設けられエレベータの動作を制御する回路と接続可能に設けられるスイッチ端子部と、を有し、
前記スイッチ端子部は、前記押しボタン部の当接によって受ける圧力に応じて、前記壁面から離間する方向に移動可能に設けられることを特徴とする押しボタンスイッチ。
【請求項３】
壁面の開口部に設置されるエレベータ用の押しボタンスイッチであって、
ばね性部材によって支持されており、操作者による押圧操作によって前記壁面に対して沈降する方向に変位するように設けられた押しボタン部と、
沈降した前記押しボタン部が当接したことを受けてスイッチ動作するように設けられエレベータの動作を制御する回路を備えたスイッチ端子部と、を有し、
前記押しボタン部の沈降量に応じて、前記ばね性部材のばね定数が増加するように設けられることを特徴とする押しボタンスイッチ。
【請求項４】
壁面の開口部に設置されるエレベータ用の押しボタンスイッチであって、
ばね性部材によって支持されており、操作者による押圧操作によって前記壁面に対して沈降する方向に変位するように設けられた押しボタン部と、
前記壁面に相対的に固定され、前記押しボタン部の移動方向が所定方向となるよう規制するガイド体と、
スイッチ本体と、このスイッチ本体を支持するとともに前記スイッチ本体からの電気信号を伝達する配線を有する回路基板とを有し、前記ガイド体により移動の方向を所定方向となるよう規制されるスイッチ端子部と、
前記押しボタン部と前記スイッチ端子部との間に介挿される第１のばね体と、
前記ガイド体の終端部と前記スイッチ端子部との間に介挿され、少なくとも前記第１のばね体よりも大きいばね定数に設定されている第２のばね体と、
を具備することを特徴とする押しボタンスイッチ。
【請求項５】
壁面の開口部に設置されるエレベータ用の押しボタンスイッチであって、
操作者によって圧力を加えられ、前記圧力に応じて所定方向に移動する押しボタン部と、
前記壁面に相対的に固定され、前記押しボタン部の移動の方向が所定方向となるよう規制するガイド体と、
スイッチ本体と、このスイッチ本体を支持するとともに前記スイッチ本体からの電気信号を伝達する配線を有する回路基板とを有するスイッチ端子部と、
前記押しボタン部と前記スイッチ端子部との間に介挿され、押しボタン部の沈降量に応じてばね定数が増加するばね性部材と、
を具備することを特徴とする押しボタンスイッチ。
【請求項６】
壁面の開口部に設置されるエレベータ用の押しボタンスイッチであって、
利用者によって圧力を加えられ、前記圧力に応じて所定方向に移動する押しボタン部と、
前記壁面に相対的に固定され、前記押しボタン部の移動方向が所定方向となるよう規制するガイド体と、
スイッチ本体と、このスイッチ本体を支持するとともに前記スイッチ本体からの電気信号を伝達する配線を備えた回路基板とを有するスイッチ端子部と、
前記押しボタン部の沈降に応じて順次当接し、前記押しボタン部に反力を付与するよう配置される互いに長さの異なる複数のばね性部材と、
を具備することを特徴とする押しボタンスイッチ。
【請求項７】
前記スイッチ端子部が動作することによって、前記発光部を点灯状態へと切換えることを特徴とする請求項１乃至６いずれかに記載のエレベータ用押しボタンスイッチ。
【請求項８】
前記押しボタン部に設けられる孔部に挿通され、前記押しボタン部の沈降動作において前記押しボタン部を前記壁面に並行に保つガイド体を具備することを特徴とする請求項１乃至７いずれかに記載のエレベータ用押しボタンスイッチ。
【請求項９】
前記押しボタン部の沈降により前記反射面が前記スイッチ端子に当接するように構成されたことを特徴とする請求項１乃至８いずれかに記載のエレベータ用押しボタンスイッチ。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】変更
【補正の内容】
【００２０】
本発明は上記目的を満足するためになされたものであり、壁面の開口部に設置されるエレベータ用の押しボタンスイッチであって、操作者による押圧操作によって前記壁面に対して沈降する方向に変位するように設けられた押しボタン部と、沈降方向に変位した前記押しボタン部が当接したことを受けてスイッチ動作するように設けられエレベータの動作を制御する回路と接続可能に設けられるスイッチ端子部と、を有し、前記スイッチ端子部は、前記押しボタン部の当接によって受ける圧力に応じて、前記壁面から離間する方向に移動可能に設けられる押しボタンスイッチを提供する。
また本発明は、壁面の開口部に設置されるエレベータ用の押しボタンスイッチであって、ばね性部材によって支持されており、操作者による押圧操作によって前記壁面に対して沈降する方向に変位するように設けられた押しボタン部と、沈降した前記押しボタン部が当接したことを受けてスイッチ動作するように設けられエレベータの動作を制御する回路を備えたスイッチ端子部と、を有し、前記押しボタン部の沈降量に応じて、前記ばね性部材のばね定数が増加するように設けられる押しボタンスイッチを提供する。
【手続補正４】
【補正対象書類名】明細書
【補正対象項目名】００３４
【補正方法】変更
【補正の内容】
【００３４】
後述するように、上記導光板５の傾斜面２ａは、発光部７から側面部２ｂへ照射される光をキートップ部４側へ反射する反射面となっている。導光板５の反射面は、光源の照射むらをぼかして強度を平均化するために粗面化処理がなされている。あるいは効率よく反射させるために溝もしくは段差によるフレネルレンズが形成されている場合がある。反射効率を高めるために金属による薄膜が形成されていたり、ボタン本体の大きさに影響しない程度の厚みを有する板材が貼り付けられている場合がある。
【手続補正５】
【補正対象書類名】明細書
【補正対象項目名】００３６
【補正方法】変更
【補正の内容】
【００３６】
上記スイッチ本体８の作動子８ａは、図４に示すようにキートップ部４が押圧されていないときに導光板５の傾斜面２ａと離間して、スイッチ本体８がオフ状態となる。
図５に示すように、キートップ部４が押圧されると導光板５がスイッチ本体８に接触してオン状態になり、発光部７への通電がなされる。通電された発光部７は導光板側面部２ｂに向けて発光するようになっている。
傾斜面２ａは作動子８ａと直接接触するから、少なくともその直接接触する部分については、耐磨耗性を高めるために別部材を貼付したり埋め込んだりして補強を受けている場合や、キートップ部が変位する方向に垂直な面となるように形成されている場合がある。また、さらに薄型化するためにスイッチ本体８の大きさにあわせて凹部が形成される場合がある。